(57)【特許請求の範囲】
【請求項１】
用紙を切断するロータリカッタを収納するカッタホルダと、
前記カッタホルダを往復動させる駆動手段と、
前記カッタホルダの往復動の軌道より用紙進行方向前方側に位置する排紙ローラと、
前記カッタホルダの軌道と排紙ローラとの間隔の下方に位置する切断片受け手段とを備え、
前記カッタホルダには、前記ロータリカッタから見て用紙進行方向前方側に突出し、前記カッタホルダの切断時進行方向の後方側に形成される案内面が形成されており、該案内面は前記ロータリカッタにより切断された用紙の切断片を前記カッタホルダの軌道と排紙ローラとの間隔に案内する傾斜形状を有することを特徴とする用紙切断片処理装置。
【請求項２】
請求項１において、前記ロータリカッタは用紙の進行路の下側に位置し、前記案内面は前記カッタホルダの上面に形成されていることを特徴とする用紙切断片処理装置。
【請求項３】
請求項１または２において、前記案内面の上方には、前記用紙の切断時に前記切断片が捻れることによりカッタホルダから見て用紙進行方向後方側へ延びることを防止するために、前記カッタホルダの軌道に沿って形成される進入防止壁が設けられていることを特徴とする用紙切断片処理装置。
【請求項４】
請求項１〜３のいずれか１項において、前記排紙ローラは排紙駆動ローラと排紙従動ローラとを備えており、前記カッタホルダの軌道と排紙ローラとの間隔には、用紙進行時に用紙の先端を前記排紙駆動ローラと排紙従動ローラとの間へ案内するガイド板を備え、前記ガイド板は前記ロータリカッタにより用紙を切断する際に前記カッタホルダの軌道と排紙ローラとの間隔を開放可能であることを特徴とする用紙切断片処理装置。
【請求項５】
請求項４において、前記ガイド板は前記排紙ローラと平行に延びる回動軸を備え、前記回動軸には前記ガイド板が前記間隔を開放する方向へ回動軸を常時付勢する付勢手段が設けられ、前記カッタホルダにはカムが形成され、前記回動軸の前記カッタホルダのホームポジション側にはカムフォロワが形成されており、前記カッタホルダがホームポジションに位置するときには前記カムがカムフォロワに当接作用して、前記ガイド板が前記間隔を閉鎖する方向へ回動軸を回動させ、前記カッタホルダがホームポジションを離れたときには前記カムのカムフォロワへの当接作用が解除されて前記間隔が開放される方向へ回動軸が回動することを特徴とする用紙切断片処理装置。
【請求項６】
請求項５において、前記カムは、前記案内面が形成される案内面形成部の前記ホームポジション側に形成されていることを特徴とする用紙切断片処理装置。
【請求項７】
請求項１〜６のいずれか１項において、前記用紙はロール紙であることを特徴とする用紙切断片処理装置。
【請求項８】
請求項１〜７のいずれか１項に記載の用紙切断片処理装置を備えることを特徴とする記録装置。
【発明の詳細な説明】
【０００１】
【発明の属する技術分野】
本発明は、ロール紙などの用紙を切断するための装置に係り、特に切断時に切り離された細長い切断片を所定の位置に落下させるように案内することができる構造に関するものである。
【０００２】
【従来の技術】
近年、ロール紙に印刷した後にこれを適切な長さに切断して印刷物とするロール紙に印刷可能なプリンタが開発されている。このプリンタでは、ロール紙に印刷された部分をロール紙から切り離すために、印刷物本来の長さよりやや大きめに切断する切断工程と、やや大きめに切断された印刷物（本明細書ではロール紙から切り離された用紙を印刷物と称することにする）を印刷物本来の長さになるように正確な位置で切断する切断工程とを有する場合がある。後者の切断工程では、細長い切断片が生じるため、この切断片がプリンタの駆動部材に巻き込まないように適切に処理する必要がある。
【０００３】
その一つの方法として、切断片をロータリカッタの軌道と排紙ローラとの間隔から下方に自然落下させて、切断片受け部材内へ受け入れる方法が考えられる。
【０００４】
【発明が解決しようとする課題】
しかし従来は、ロータリカッタを収納しているカッタホルダの上に切断片が載ってカッタホルダが移動したときに切断片が運ばれてしまうことがあったり、例え切断片が上記のようにして運ばれなくても、ロータリカッタの軌道と排紙ローラとの狭い間隔内に切断片を上手に落下させることは困難であった。
【０００５】
また上記後者の切断工程で発生する切断片は細長いため、ロータリカッタによる切断中に切断片の端部側から次第に捻れていき、切断片端部がタイミングベルトなどの駆動部材に巻き込まれることがあった。
【０００６】
更にロール紙は少なからず巻き癖が付いているため、排紙ローラの手前で先端が下側に湾曲し、駆動排紙ローラと従動排紙ローラの間に用紙端部を捕まえることができないことがある。これを防止するため、ロータリカッタの軌道と排紙ローラとの間を塞ぐようにガイド板を設け、用紙端部をガイド板上に沿って進行させることにより、駆動排紙ローラと従動排紙ローラの間に用紙端部を案内させる構造を採用することが考えられる。しかし上述のように、ロータリカッタの軌道と排紙ローラとの間から切断片を落下させようとする場合には、ガイド板が邪魔になり切断片を落下させることができない。そのため切断片を落下させる構造と、ロータリカッタの軌道と排紙ローラとの間にガイド板を設ける構造とを如何にして両立させるかが一つの課題となっていた。
【０００７】
従って本発明の課題は、切断片を切断片受け部材内へ確実に落下させることができ、切断片の駆動部材への巻き込みを確実に防止し、用紙端部が排紙ローラへ進行するときには排紙ローラが確実に用紙先端を把持できるようにした用紙切断片処理装置及び該装置を備える記録装置を提供することにある。
【０００８】
【課題を解決するための手段】
上記課題を達成するため、本願請求項１に記載の用紙切断片処理装置は、用紙を切断するロータリカッタを収納するカッタホルダと、前記カッタホルダを往復動させる駆動手段と、前記カッタホルダの往復動の軌道より用紙進行方向前方側に位置する排紙ローラと、前記カッタホルダの軌道と排紙ローラとの間隔の下方に位置する切断片受け手段とを備え、前記カッタホルダには、前記ロータリカッタから見て用紙進行方向前方側に突出し、前記カッタホルダの切断時進行方向の後方側に形成される案内面が形成されており、該案内面は前記ロータリカッタにより切断された用紙の切断片を前記カッタホルダの軌道と排紙ローラとの間隔に案内する傾斜形状を有することを特徴とするものである。
【０００９】
本発明によれば、カッタホルダが軌道に沿って進行するときにロータリカッタが回転しながら用紙を切断する。用紙の先端で細長く切断された切断片は、案内面の傾斜形状によってカッタホルダの軌道と排紙ローラとの間隔内へ案内されて移行し、用紙の全幅に亘って切断が完了した時点では、切断片が間隔内に落下して切断片受け手段によって受け入れられる。従って、切断片がカッタホルダの上に載ってしまい、カッタホルダの移動に伴い切断片がプリンタの駆動部材近傍へ運ばれてしまうことを回避できる。
【００１０】
また、本願請求項２に記載の用紙切断片処理装置は、請求項１において、前記ロータリカッタは用紙の進行路の下側に位置し、前記案内面は前記カッタホルダの上面に形成されていることを特徴とするものである。
【００１１】
ロータリカッタでは、切断の際に、押し付けローラがロール紙に強く押し付けられ、ロール紙との摩擦力により回転し、その結果としてロータリカッタが回転する。本発明ではロータリカッタが用紙進行路の下側に位置するから、押し付けローラがロール紙の非印刷面側に押し付けられ、印刷面に押し潰された跡が残ることがない。また、ロータリカッタの作用する面がロール紙の非印刷面側になるため、ロータリカッタが作用して粗状態になっている部分がロール紙の非印刷面側となり、印刷物の外観が良くなる。
【００１２】
また、本願請求項３に記載の用紙切断片処理装置は、請求項１または２において、前記案内面の上方には、前記用紙の切断時に前記切断片が捻れることによりカッタホルダから見て用紙進行方向後方側へ延びることを防止するために、前記カッタホルダの軌道に沿って形成される進入防止壁が設けられていることを特徴とするものである。
【００１３】
本発明によれば、ロータリカッタにより切断された切断片が捻れ変形しながら用紙進行方向後方側へ移動することを防止することができる。これにより用紙進行方向後方側に位置するタイミングベルトなどのカッタホルダの駆動機構に切断片が巻き込まれる事故を回避できる。
【００１４】
また、本願請求項４に記載の用紙切断片処理装置は、請求項１〜３のいずれか１項において、前記排紙ローラは排紙駆動ローラと排紙従動ローラとを備えており、前記カッタホルダの軌道と排紙ローラとの間隔には、用紙進行時に用紙の先端を前記排紙駆動ローラと排紙従動ローラとの間へ案内するガイド板を備え、前記ガイド板は前記ロータリカッタにより用紙を切断する際に前記カッタホルダの軌道と排紙ローラとの間隔を開放可能であることを特徴とするものである。
【００１５】
本発明によれば、用紙の前端が排紙ローラに向かって進行するときには、ガイド板の存在によって用紙、特に巻き癖の付いたロール紙の先端を排紙駆動ローラと排紙従動ローラとの間へ確実に案内することができ、また用紙の先端を切断するときには、カッタホルダの軌道と排紙ローラとの間隔が開放するため、そこから切断片を切断片受け手段内へ落下させることができる。
【００１６】
また、本願請求項５に記載の用紙切断片処理装置は、請求項４において、前記ガイド板は前記排紙ローラと平行に延びる回動軸を備え、前記回動軸には前記ガイド板が前記間隔を開放する方向へ回動軸を常時付勢する付勢手段が設けられ、前記カッタホルダにはカムが形成され、前記回動軸の前記カッタホルダのホームポジション側にはカムフォロワが形成されており、前記カッタホルダがホームポジションに位置するときには前記カムがカムフォロワに当接作用して、前記ガイド板が前記間隔を閉鎖する方向へ回動軸を回動させ、前記カッタホルダがホームポジションを離れたときには前記カムのカムフォロワへの当接作用が解除されて前記間隔が開放される方向へ回動軸が回動することを特徴とするものである。
【００１７】
本発明によれば、カッタホルダがホームポジションに位置するときには、カッタホルダに形成されるカムが回動軸に設けられるカムフォロワに当接しながらカムフォロワを押し込み、この押し込み作用によって、付勢手段の付勢力に抗して間隔が閉鎖するように回動軸が回動する。またカッタホルダがホームポジションを離れたときには、上記カムのカムフォロワへの当接作用による押し込みが解除されるため、付勢手段の付勢力によって間隔が開放するように回動軸が回動する。従って、ロータリカッタにより用紙を切断するときだけカッタホルダの軌道と排紙ローラとの間隔が開放して切断片が落下できるようになり、その他の時にはガイド板の存在により、用紙先端を排紙駆動ローラと排紙従動ローラとの間へ確実に案内することができる。
【００１８】
また、本願請求項６に記載の用紙切断片処理装置は、請求項５において、前記カムは、前記案内面が形成される案内面形成部の前記ホームポジション側に形成されていることを特徴とするものである。
本発明によれば、カッタホルダに特別なカム部材を設けなくても案内面形成部をカム状に加工するだけで容易にカムを形成することができる。
【００１９】
また、本願請求項７に記載の用紙切断片処理装置は、請求項１〜６のいずれか１項において、前記用紙はロール紙であることを特徴とするものである。
本発明の装置は、特にロール紙を一旦切断し、その後に切断部分をきれいに整えたり、切断された印刷物の長さを調節するために再切断するときに生じる切断片を処理する場合に有意義である。またロール紙が下向きの巻き癖を有しているときに、上記ガイド板により、ロール紙の先端を排紙駆動ローラと排紙従動ローラとの間へ導く場合にも有意義である。
【００２０】
また、本願請求項８に記載の記録装置は、請求項１〜７のいずれか１項に記載の用紙切断片処理装置を備えることを特徴とするものである。
本発明によれば、切断片が排紙工程で駆動装置等に絡まるなどの事故を確実に防止できるため、連続した印刷の効率性を高めることができる。
【００２１】
【発明の実施の形態】
以下、本願発明の実施の形態を図面に基づいて説明する。図１はロール紙用のインクジェットプリンタにおいて、ロール紙への印刷部分が切断されて印刷物になった後に、印刷物のマージン長さを調節するために印刷物先端を切断するための切断処理部に本発明に係る用紙切断片処理装置が適用された様子を示す斜視図、図２は同切断処理部の側断面図、図３は本発明に係る用紙切断片処理装置の進入防止壁、ガイド板、案内面周辺を示す側断面図、図４はルミラー（進入防止壁）が設けられたカバー部材を示す正面図、図５はガイド板の開閉を行うためのカム機構を示す斜視図、図６はカッタホルダの側断面図、図７はロータリカッタ周辺を示す断面図、図８は印刷物をロータリカッタで切断し、切断片が落下している様子を示すカッタホルダ周辺の斜視図である。
【００２２】
本発明の用紙切断片処理装置は、印刷物等のマージン長さを調節するために印刷物の先端等を細長く切断するときに生じる細長い切断片を処理するための装置である。このような細長い切断片を生じる切断工程は種々想定できるが、ここではロール紙に印刷された部分をロール紙から切り離すために切断して印刷物Ｐとした後に、該印刷物Ｐの先端側のマージン長さを調節するために、印刷物Ｐの先端を切断する工程を例にとって説明する。
【００２３】
図１において、符号１は本発明の用紙切断片処理装置の構成要素であるカッタホルダを示す。このカッタホルダ１は、ロール紙用インクジェットプリンタで印刷された印刷物Ｐのマージン長さを調節するために印刷物先端を切断するための切断処理部に設けられている。切断処理部の基枠３には、カッタホルダ１から一定の間隔をあけて、印刷物Ｐを排紙するための複数の排紙ローラ５が設けられ、各排紙ローラ５は排紙駆動ローラ５ａと排紙従動ローラ５ｂとから構成されている。印刷物Ｐは、排紙駆動ローラ５ａと排紙従動ローラ５ｂとの間を通過する際に、排紙駆動ローラ５ａから駆動力を得て図１の矢印の方向へ排紙されるようになっている。
【００２４】
前記基枠３には、カッタホルダ１を基枠３の幅方向で往復動させるためのタイミングベルト７が図示しない２つのプーリに巻回されて設けられている。プーリの一方には、図示しないモータの出力軸が接続されており、モータの往復回転駆動によりタイミングベルト７が時計回りあるいは反時計回りに回転するのに伴い、カッタホルダ１が軌道２に沿って基枠３の左右に往復動できる構造となっている。
【００２５】
前記基枠３内のタイミングベルト７の下方には、該基枠３の幅方向に延びる固定刃１１（図１、図２、図７参照）が設けられ、固定刃１１は、カッタホルダ１内の後述するロータリカッタと共働して印刷物Ｐを剪断する作用をなす。
【００２６】
カッタホルダ１は、ホルダ本体１３（図１、図６、図８参照）を備えており、ホルダ本体１３内には図６に示す如く、ロータリカッタ１５と、ロータリカッタ１５から見てロール紙進行方向後方側に隣接する押し付けローラ１７とが回転軸１９の周囲に設けられている。
【００２７】
また図１、図８に示す如く、ホルダ本体１３の上面であって印刷物Ｐを切断する際のカッタホルダ１の進行方向前方側には、進行方向側に斜めに傾斜した受入ガイド面２３が形成されており、この受入ガイド面２３の上方に印刷物Ｐの非印刷面側に臨むようにロータリカッタ１５の一部が突出している。
【００２８】
ロータリカッタ１５は、周囲に刃が形成された円形形態をしており、回転軸１９に設けられたコイルバネ２５によって押し付けローラ１７に常時付勢されている。押し付けローラ１７は、ロータリカッタ１５と同心的に配置され、且つロータリカッタ１５より小さな直径を有する。また押し付けローラ１７は、印刷物Ｐの下面側に圧接できるように配置されており、カッタホルダ１が印刷物Ｐの幅方向に進行したとき、押し付けローラ１７の周面が印刷物Ｐの下面上で転動することでロータリカッタ１５が回転駆動できるようになっている。
【００２９】
図１及び図８に示す如く、ホルダ本体１３の上方側には印刷物Ｐの進行路２７を挟んで反対側に連結部２９が形成されている。該連結部２９は、タイミングベルト７に接続するための部分であり、連結部２９に形成された連結孔３１にネジやリベットを通してタイミングベルト７側に接続できるようになっている。ホルダ本体１３と連結部２９とは、その上面に後述する案内面が形成されている案内面形成部３９によって接続されており、カッタホルダ１全体が一体部材となっている。
【００３０】
このようにホルダ本体１３の上方に連結部２９を形成し、連結部２９においてタイミングベルト７に接続する構成を採用することにより、ロータリカッタ１５で切断された切断片Ｓが自然落下したときに、切断片Ｓがタイミングベルト７に引っ掛かることを防止している。
【００３１】
図１に関して、往復動するカッタホルダ１の軌道２と排紙ローラ５との間隔６は、印刷物Ｐの先端が排紙駆動ローラ５ａと排紙従動ローラ５ｂとの間に容易に案内できる程度に比較的狭く設定されている。この間隔６の下方には、印刷物のマージン長さを調節するために印刷物先端を切断するときに生じる細長い切断片Ｓを受け入れるための切断片受け部材８が設けられている。
【００３２】
本発明の第１の特徴的構成は、このカッタホルダ１の軌道２と排紙ローラ５との間隔６に印刷物Ｐの細長い切断片Ｓを確実に案内して落下させ、切断片受け部材８内に確実に受け入れる構造を提供するものである。
【００３３】
即ちホルダ本体１３の案内面形成部３９の上面には、印刷物の切断時にカッタホルダ１が進行する方向の後方側に、ロータリカッタ１５から見てロール紙進行方向前方側に突出するように案内面２１が形成されている。図３に明瞭に示すごとく案内面２１は、ロータリカッタ１５で切断された切断片Ｓをカッタホルダ１の軌道２と排紙ローラ５との間隔６内に案内するように傾斜した形状を有する。案内面２１が傾斜していることにより、切断された切断片５は案内面２１を滑り落ちるように間隔６内へ案内されることにより間隔６内を落下して、最終的に切断片受け部材８内に受け入れられる。
【００３４】
因みに、本実施の形態では、案内面２１の傾斜角度を３８度に設定しているが、用紙表面の性質や用紙が案内面２１と接触する面積等に応じて、案内面２１の傾斜角度を２０度〜７０度の範囲内、好ましくは３０度〜６０度の範囲内で適宜変更することができる。
【００３５】
次に、切断片Ｓの駆動部材への巻き込みを防止するために設けられる本発明の第２の特徴的構成について説明する。図１に示す如く、排紙ローラ５の上側には、垂直部１０と水平部１２とから構成されるカバー部材９が設けられており、該カバー部材９は、垂直部１０がカッタホルダ１の軌道２の直上部に位置するように基枠３に取り付けられている。
【００３６】
図４に示す如く、垂直部１０には、垂直部１０から下側へ５〜１０ｍｍ程度突出するように侵入防止壁として機能するルミラー１４が貼付されている。図２、図３に示す如く、ルミラー１４は案内面２１のロール紙進行方向後方側の上方に位置決めされている。ルミラー１４は、ロータリカッタ１５で切断された切断片Ｓが捻れて用紙進行方向後方側へ延びようとしたときに、これを阻止して切断片Ｓがタイミングベルト７などの駆動部材に巻き込まれることを防止する機能を有する。
【００３７】
次に、本発明の第３の特徴的構成として、印刷物Ｐが排紙ローラ５へ進行しているときに排紙ローラ５が確実にロール紙先端を把持することでき、印刷物の長さを調節するために切断する場合には、細長い切断片Ｓを切断片受け部材８内へ確実に落下させることができる構成について説明する。
【００３８】
図１及び図３に示す如く、カッタホルダ１の軌道２と排紙ローラ５との間隔６内には、間隔６に沿って延びるガイド板３３が設けられている。ガイド板３３は排紙ローラ５と平行に延びる回動軸３５に取り付けられており、回動軸３５の周囲において図２の実線で示す案内位置と破線で示す開放位置との間で回動できるようになっている。図５に示す如く回動軸３５には捻りコイルバネ３７が設けられ、捻りコイルバネ３７の作用により、ガイド板３３が間隔６を開放する方向へ回動軸３５が回動するように常時付勢されている。
【００３９】
また、カッタホルダ１の案内面形成部３９には、カッタホルダの切断時進行方向後方側に、滑らかな突出形状を有するカム４１が一体的に形成されている。一方、回動軸３５のカッタホルダ１のホームポジションＨ側（図１の左側の位置）には、図５に示す如く回動軸３５の軸線に対してほぼ４５度の角度で形成される当接面４３を有するカムフォロワ４５が設けられている。
【００４０】
図５（ａ）に示す如く、カッタホルダ１がホームポジションＨに位置するとき、カム４１がカムフォロワ４５の当接面４３に当接してこれを押し込むことで、捻りコイルバネ３７の付勢力に抗してガイド板３３が図２の実線で示す如く間隔６を閉鎖する方向へ回動軸３５を回動させる。一方図５（ｂ）に示す如く、印刷物Ｐを切断するためにカッタホルダ１がホームポジションＨを離れて図１の右方向に移動すると、カム４１の当接面４３への当接が解除されるため、捻りコイルバネ３７の付勢力により回動軸３５が回動して、ガイド板３３が図２の点線で示す如く間隔６を開放するように回動する。
【００４１】
このようなカム機構の作用により、カッタホルダ１が移動して印刷物Ｐを切断するときには、カッタホルダ１の軌道２と排紙ローラ５との間隔６が開放されるから、切断片Ｓを下方に落下させて切断片受け部材８に受け入れることが可能となる。一方、印刷物Ｐの先端の切断後に印刷物が進行して、印刷物Ｐの先端が排紙駆動ローラ５ａと排紙従動ローラ５ｂとの間を通過しようとするときには、カッタホルダ１はホームポジションＨに位置するため、間隔６はガイド板３３によって閉鎖される。従って、下向きに巻き癖が付いたロール紙に印刷された印刷物Ｐの先端をガイド板３３で案内して、排紙駆動ローラ５ａと排紙従動ローラ５ｂとの間へ確実に導くことができる。
【００４２】
本発明の用紙切断片処理装置は、以上述べたような構成を備えており、以下その作用について説明する。図１において、印刷物Ｐがカッタホルダ１の軌道２の位置まで送られてくると、印刷物Ｐの先端が、カットされるべきマージン部分の長さだけカッタホルダ１の軌道２より前方に突出したところで停止する。
【００４３】
その後、印刷物の先端を切断するためにカッタホルダ１の駆動が開始してカッタホルダ１がホームポジションＨを離れると、ガイド板３３が回動して間隔６が開放状態となる。カッタホルダ１が図１の左側から右側へ進行すると、カッタホルダ１内の押し付けローラ１７の周面が印刷物Ｐの非印刷面側（下面側）に圧接しながら回転し、これに伴いロータリカッタ１５も回転するため、固定刃１１との協働により印刷物先端の余分なマージン部分を剪断することができる。尚、印刷物先端の切断時には、図２に示す押さえローラ４７が上方に上がり、印刷物Ｐが動かないように押さえつける。
【００４４】
印刷物の先端が切断されることで、図８に示す如く、細長い切断片Ｓを生じるが、切断片Ｓが捻れてロール紙進行方向の後方側へ延びようとしても、ルミラー１４が存在するから切断片Ｓがタイミングベルト７などの駆動部材へ巻き込まれることを防止できる。
【００４５】
カッタホルダ１の移動中に、切断片Ｓはカッタホルダ１の案内面２１に案内されて開放された間隔６から下方へ落下し、最終的には切断片受け部材８内に受け入れられる。印刷物Ｐの先端の切断処理が終了すると、カッタホルダ１は再びホームポジションＨに戻り、カム４１がカムフォロワ４５の当接面４３に当接しこれを押し込むことで、ガイド板３３が間隔６を閉鎖するようになる。
【００４６】
その後、所定のマージン長さに切断処理された印刷物Ｐは、その先端がガイド板３３に案内されて排紙駆動ローラ５ａと排紙従動ローラ５ｂとの間へ導かれて排紙される。
【００４７】
【発明の効果】
本発明の第１の特徴的構成によれば、カッタホルダが軌道に沿って進行するときにロータリカッタが回転しながら用紙を切断する。用紙の先端で細長く切断された切断片は、案内面の傾斜形状によってカッタホルダの軌道と排紙ローラとの間隔内へ案内されて移行し、用紙の全幅に亘って切断が完了した時点では、切断片が間隔に落下して切断片受け手段によって受け入れられる。従って、切断片がカッタホルダの上に載ってしまい、そのままカッタホルダが移動して切断片がプリンタの駆動部材近傍へ運ばれてしまうようなことを回避できる。
【００４８】
また本発明の第２の特徴的構成によれば、ロータリカッタにより切断された切断片が捻れ変形しながら用紙進行方向後方側へ移動することを防止することができる。これにより用紙進行方向後方側に位置するカッタホルダの駆動機構に切断片が巻き込まれる事故を回避できる。
【００４９】
また本発明の第３の特徴的構成によれば、用紙の前端が排紙ローラに向かって進行するときには、ガイド板の存在によって用紙、特に巻き癖の付いたロール紙が排紙ローラから外れて下方に進行することを防止でき、また用紙の先端を切断するときには、カッタホルダの軌道と排紙ローラとの間隔が開放するため、そこから切断片を切断片受け手段へ落下させることができる。
【図面の簡単な説明】
【図１】ロール紙用のインクジェットプリンタにおいて、ロール紙への印刷部分が切断されて印刷物になった後に、印刷物のマージン長さを調節するために印刷物先端を切断するための切断処理部に本発明に係る用紙切断片処理装置が適用された様子を示す斜視図である。
【図２】同切断処理部の側断面図である。
【図３】本発明に係る用紙切断片処理装置の進入防止壁、ガイド板、案内面周辺を示す側断面図である。
【図４】ルミラー（進入防止壁）が設けられたカバー部材を示す正面図である。
【図５】ガイド板の開閉を行うためのカム機構を示す斜視図である。
【図６】カッタホルダの側断面図である。
【図７】ロータリカッタ周辺を示す断面図である。
【図８】印刷物をロータリカッタで切断し、切断片が落下している様子を示すカッタホルダ周辺の斜視図である。
【符号の説明】
１  カッタホルダ
２  カッタホルダの軌道
３  基枠
５  排紙ローラ
５ａ  排紙駆動ローラ
５ｂ  排紙従動ローラ
６  カッタホルダの軌道と排紙ローラとの間隔
７  タイミングベルト
８  切断片受け部材
１０  垂直部
１１  固定刃
１２  水平部
１３  ホルダ本体
１４  ルミラー
１５  ロータリカッタ
７  押し付けローラ
１９  回転軸
２１  案内面
２３  受入ガイド面
２５  コイルバネ
２７  ロール紙の進行路
２９  連結部
３１  連結孔
３３  ガイド板
３５  回動軸
３７  捻りコイルバネ
３９  案内面形成部
４１  カム
４３  当接面
４５  カムフォロワ
４７  押さえローラ
Ｈ  ホームポジション
Ｑ  ロール紙の隅部
Ｐ  （ロール紙から切断により切り離された）印刷物
Ｓ  切断片
【図１】
0003654345.tif 000002
【図２】
0003654345.tif 000003
【図３】
0003654345.tif 000004
【図４】
0003654345.tif 000005
【図５】
0003654345.tif 000006
【図６】
0003654345.tif 000007
【図７】
0003654345.tif 000008
【図８】
0003654345.tif 000009